【手続補正書】
【提出日】平成19年2月26日(2007.2.26)
【手続補正１】
【補正対象書類名】明細書
【補正対象項目名】特許請求の範囲
【補正方法】変更
【補正の内容】
【特許請求の範囲】
【請求項１】  水トレー支持凹部を備える底壁を有する基部であって、横方向の短軸を規定する基部と、
底壁及び該底壁から上方に延在する側壁を有し、前記基部の前記底壁の前記水トレー支持凹部内に取り外し可能に支持される水トレーであって、前記基部の前記水トレー支持凹部は、前記横方向の短軸に対して非対称な足跡形状部を画成し、当該水トレーは、実質的に前記水トレー支持凹部の前記足跡形状部に一致する足跡形状部を画成する水トレーと、
前記基部により取り外し可能に支持されるブロアーアセンブリであって、ハウジング、前記ハウジング内に支持されたモーター、及び前記ハウジング内に支持され前記モーターに作動可能に接続されたファンを有し、前記ハウジングは空気入口、空気出口、及び前記空気入口と前記空気出口との間に延在する蒸発空気流路を有するブロアーアセンブリと、
前記水トレーの前記底壁により支持され、前記ハウジング内の前記空気流路内へと上方に延在するウイックアセンブリと、
前記水トレーの上方で前記基部により取り外し可能に支持されるタンクであって、第１の側壁、第２の側壁、底壁、及び開口部を有し、前記水トレーと流体的に連通する内部室を画成するタンクと、
を有することを特徴とする蒸発加湿器。
【請求項２】  底壁を有する基部であって、前記底壁は水トレー支持凹部を有する基部と、
底壁及び該底壁から上方に延在する側壁を有する水トレーであって、前記基部の前記底壁の前記水トレー支持凹部内に取り外し可能に支持される水トレーと、
前記基部により取り外し可能に支持されるブロアーアセンブリであって、ハウジング、前記ハウジング内に支持されたモーター、及び前記ハウジング内に支持され前記モーターに作動可能に接続されたファンを有し、前記ハウジングは空気入口、空気出口、及び前記空気入口と前記空気出口との間に延在する蒸発空気流路を有するブロアーアセンブリと、
前記水トレーの前記底壁により支持され、前記ハウジング内の前記空気流路内へと上方に延在するウイックアセンブリと、
前記水トレーの上方で前記基部により取り外し可能に支持されるタンクであって、第１の側壁、第２の側壁、底壁、及び開口部を有し、前記水トレーと流体的に連通する内部室を画成するタンクと、
を有し、
前記水トレーは、前記ブロアーアセンブリの下方に配置された蒸発部と、前記タンクの下方に配置された水受け部とを有し、前記蒸発部内の前記底壁は、前記水受け部内の前記底壁の下方に配置されることを特徴とする蒸発加湿器。
【請求項３】  底壁を有する基部であって、前記底壁は水トレー支持凹部を有する基部と、
底壁及び該底壁から上方に延在する側壁を有する水トレーであって、前記基部の前記底壁の前記水トレー支持凹部内に取り外し可能に支持される水トレーと、
前記基部により取り外し可能に支持されるブロアーアセンブリであって、ハウジング、前記ハウジング内に支持されたモーター、及び前記ハウジング内に支持され前記モーターに作動可能に接続されたファンを有し、前記ハウジングは空気入口、空気出口、及び前記空気入口と前記空気出口との間に延在する蒸発空気流路を有するブロアーアセンブリと、
前記水トレーの前記底壁により支持され、前記ハウジング内の前記空気流路内へと上方に延在するウイックアセンブリと、
前記水トレーの上方で前記基部により取り外し可能に支持されるタンクであって、第１の側壁、第２の側壁、底壁、及び開口部を有し、前記水トレーと流体的に連通する内部室を画成するタンクと、
前記基部の前記底壁内に形成された複数の円筒状凹部と、
前記タンクの前記底壁から下方に延在し、前記基部の前記円筒状凹部内に受容可能な複数の円筒状位置決めペグと、
を有することを特徴とする蒸発加湿器。
【請求項４】  底壁を有する基部であって、前記底壁は水トレー支持凹部を有する基部と、
底壁及び該底壁から上方に延在する側壁を有する水トレーであって、前記基部の前記底壁の前記水トレー支持凹部内に取り外し可能に支持される水トレーと、
前記基部により取り外し可能に支持されるブロアーアセンブリであって、ハウジング、前記ハウジング内に支持されたモーター、及び前記ハウジング内に支持され前記モーターに作動可能に接続されたファンを有し、前記ハウジングは空気入口、空気出口、及び前記空気入口と前記空気出口との間に延在する蒸発空気流路を有するブロアーアセンブリと、
前記水トレーの前記底壁により支持され、前記ハウジング内の前記空気流路内へと上方に延在するウイックアセンブリと、
前記水トレーの上方で前記基部により取り外し可能に支持されるタンクであって、第１の側壁、第２の側壁、底壁、及び開口部を有し、前記水トレーと流体的に連通する内部室を画成するタンクと、
前記ブロアーアセンブリの前記ハウジングを確実に位置決めするための、前記基部の前記底壁から上方に延在する複数の位置決めタブと、
を有することを特徴とする蒸発加湿器。
【請求項５】  底壁を有する基部であって、前記底壁は水トレー支持凹部を有する基部と、
底壁及び該底壁から上方に延在する側壁を有する水トレーであって、前記基部の前記底壁の前記水トレー支持凹部内に取り外し可能に支持される水トレーと、
前記基部により取り外し可能に支持されるブロアーアセンブリであって、ハウジング、前記ハウジング内に支持されたモーター、及び前記ハウジング内に支持され前記モーターに作動可能に接続されたファンを有し、前記ハウジングは空気入口、空気出口、及び前記空気入口と前記空気出口との間に延在する蒸発空気流路を有するブロアーアセンブリと、
前記水トレーの前記底壁により支持され、前記ハウジング内の前記空気流路内へと上方に延在するウイックアセンブリであって、円筒状側壁、開放した下端部及び開放した上端部を有し前記下端部は前記水トレー内に担持された水を吸収するようになっているウイックフィルターを有するウイックフィルターアセンブリと、
前記水トレーの前記底壁から上方に延在するウイックアセンブリロケーターであって、前記ウイックフィルターの前記下端部は、当該ウイックアセンブリロケーターの上に受容可能であるウイックアセンブリロケーターと、
前記ウイックアセンブリロケーターにより支持されたハンドルと、
前記水トレーの上方で前記基部により取り外し可能に支持されるタンクであって、第１の側壁、第２の側壁、底壁、及び開口部を有し、前記水トレーと流体的に連通する内部室を画成するタンクと、
を有することを特徴とする蒸発加湿器。
【請求項６】  底壁を有する基部であって、前記底壁は水トレー支持凹部を有する基部と、
底壁及び該底壁から上方に延在する側壁を有する水トレーであって、前記基部の前記底壁の前記水トレー支持凹部内に取り外し可能に支持される水トレーと、
前記基部により取り外し可能に支持され、ハウジング、前記ハウジング内に支持されたモーター、及び前記ハウジング内に支持され前記モーターに作動可能に接続されたファンを有し、前記ハウジングは空気入口、空気出口、及び前記空気入口と前記空気出口との間に延在する蒸発空気流路を有するブロアーアセンブリであって、更に、前記ファンの周りに同心的に受容された実質的に円筒状の側壁を有するファン囲いであって、前記空気入口を前記空気出口から分離し、それにより前記空気流路を画成するファン囲いを有するブロアーアセンブリと、
前記水トレーの前記底壁により支持され、前記ハウジング内の前記空気流路内へと上方に延在するウイックアセンブリであって、円筒状側壁、開放した下端部及び開放した上端部を有し前記下端部は前記水トレー内に担持された水を吸収するようになっているウイックフィルターを有するウイックフィルターアセンブリと、
前記水トレーの上方で前記基部により取り外し可能に支持されるタンクであって、第１の側壁、第２の側壁、底壁、及び開口部を有し、前記水トレーと流体的に連通する内部室を画成するタンクと、
を有することを特徴とする蒸発加湿器。
【請求項７】  更に、前記ファン囲い壁により支持され、前記ウイックフィルターの前記上端部を受容するアーチ形受容シールドを有することを特徴とする請求項６の蒸発加湿器。
【請求項８】  底壁を有する基部であって、前記底壁は水トレー支持凹部を有する基部と、
底壁及び該底壁から上方に延在する側壁を有する水トレーであって、前記基部の前記底壁の前記水トレー支持凹部内に取り外し可能に支持される水トレーと、
前記基部により取り外し可能に支持されるブロアーアセンブリであって、ハウジング、前記ハウジング内に支持されたモーター、及び前記ハウジング内に支持され前記モーターに作動可能に接続されたファンを有し、前記ハウジングは空気入口、空気出口、及び前記空気入口と前記空気出口との間に延在する蒸発空気流路を有するブロアーアセンブリと、
前記水トレーの前記底壁により支持され、前記ハウジング内の前記空気流路内へと上方に延在するウイックアセンブリと、
前記水トレーの上方で前記基部により取り外し可能に支持されるタンクであって、第１の側壁、第２の側壁、底壁、及び開口部を有し、前記水トレーと流体的に連通する内部室を画成するタンクと、
前記水トレーにより支持され、前記水トレーの前記底壁に対して移動可能な浮揚性フロートを有するフロートアセンブリであって、更に、前記浮揚性フロートを滑動可能に受容し、前記水トレーに解放可能に固定されるカバーを有するフロートアセンブリと、
前記浮揚性フロートの移動に応じて前記モーターを選択的に作動させるフロートスイッチと、
前記タンクと流体的に連通し、前記水トレーの前記側壁により形成されたフロートリザーバであって、前記浮揚性フロートは、当該フロートリザーバ内で実質的に垂直に移動するように支持されるフロートリザーバと、
を有することを特徴とする蒸発加湿器。
【請求項９】  前記フロートアセンブリは更に、前記カバーにより支持され、前記浮揚性フロートを前記カバーに滑動可能に固定するための保持クリップを有することを特徴とする請求項８の蒸発加湿器。
【請求項１０】  底壁を有する基部であって、前記底壁は水トレー支持凹部を有する基部と、
底壁及び該底壁から上方に延在する側壁を有する水トレーであって、前記基部の前記底壁の前記水トレー支持凹部内に取り外し可能に支持される水トレーと、
前記基部により取り外し可能に支持されるブロアーアセンブリであって、ハウジング、前記ハウジング内に支持されたモーター、及び前記ハウジング内に支持され前記モーターに作動可能に接続されたファンを有し、前記ハウジングは空気入口、空気出口、及び前記空気入口と前記空気出口との間に延在する蒸発空気流路を有するブロアーアセンブリと、
前記水トレーの前記底壁により支持され、前記ハウジング内の前記空気流路内へと上方に延在するウイックアセンブリと、
前記水トレーの上方で前記基部により取り外し可能に支持されるタンクであって、第１の側壁、第２の側壁、底壁、及び開口部を有し、前記水トレーと流体的に連通する内部室を画成するタンクと、
前記モーターと電気的に接続された電気コードと、
前記ハウジング内に形成され、前記電気コードの余剰部分を収容するためのコード格納区画と、
を有することを特徴とする蒸発加湿器。
【請求項１１】  更に、前記ハウジングにより支持され、前記コード格納区画内に前記電気コードを保持するための少なくとも１つの保持タブを有することを特徴とする請求項１０の蒸発加湿器。
【請求項１２】  更に、前記ハウジング内に形成されたハンドル凹部を有することを特徴とする請求項１０の蒸発加湿器。
【請求項１３】  底壁を有する基部であって、前記底壁は水トレー支持凹部を有する基部と、
底壁及び該底壁から上方に延在する側壁を有する水トレーであって、前記基部の前記底壁の前記水トレー支持凹部内に取り外し可能に支持される水トレーと、
前記基部により取り外し可能に支持されるブロアーアセンブリであって、ハウジング、前記ハウジング内に支持されたモーター、及び前記ハウジング内に支持され前記モーターに作動可能に接続されたファンを有し、前記ハウジングは空気入口、空気出口、及び前記空気入口と前記空気出口との間に延在する蒸発空気流路を有するブロアーアセンブリと、
前記水トレーの前記底壁により支持され、前記ハウジング内の前記空気流路内へと上方に延在するウイックアセンブリと、
前記水トレーの上方で前記基部により取り外し可能に支持されるタンクであって、第１の側壁、第２の側壁、底壁、及び開口部を有し、前記水トレーと流体的に連通する内部室を画成するタンクと、
を有し、
前記水トレー及び前記タンクは、皿洗い機に対して安全な熱可塑性材料で形成されることを特徴とする蒸発加湿器。
【請求項１４】  前記水トレー及び前記タンクは第１の色であり、
前記基部は第２の色であり、該第２の色は、前記第１の色と視覚的に識別可能であることを特徴とする請求項１３の蒸発加湿器。
【請求項１５】  底壁を有する基部であって、前記底壁は水トレー支持凹部を有する基部と、
底壁及び該底壁から上方に延在する側壁を有する水トレーであって、前記基部の前記底壁の前記水トレー支持凹部内に取り外し可能に支持される水トレーと、
前記基部により取り外し可能に支持されるブロアーアセンブリであって、ハウジング、前記ハウジング内に支持されたモーター、及び前記ハウジング内に支持され前記モーターに作動可能に接続されたファンを有し、前記ハウジングは空気入口、空気出口、及び前記空気入口と前記空気出口との間に延在する蒸発空気流路を有するブロアーアセンブリと、
前記水トレーの前記底壁により支持され、前記ハウジング内の前記空気流路内へと上方に延在するウイックアセンブリと、
前記水トレーの上方で前記基部により取り外し可能に支持されるタンクであって、第１の側壁、第２の側壁、底壁、及び開口部を有し、前記水トレーと流体的に連通する内部室を画成するタンクと、
プロセッサと、
前記プロセッサに作動可能に接続され、外気の相対湿度を検出し、前記外気の相対湿度を表す信号を提供するための湿度センサーと、
前記プロセッサに作動可能に接続され、前記プロセッサに電力が供給されている時にはいつでも前記外気の相対湿度の可視表示を提供する表示装置と、
を有することを特徴とする蒸発加湿器。
【請求項１６】  更に、前記プロセッサに接続され、設定相対湿度を確定するための少なくとも１つの制御ボタンを有し、前記プロセッサは、前記設定相対湿度及び前記外気の相対湿度を表す前記信号に応じて前記モーターの作動を選択的に制御することを特徴とする請求項１５の蒸発加湿器。
【請求項１７】  水の供給源を支持するようになっている基部と、
前記基部により支持されるブロアーアセンブリであって、ハウジング、前記ハウジング内に支持されたモーター、及び前記ハウジング内に支持され前記モーターに作動可能に接続されたファンを有し、前記ハウジングは、空気入口、空気出口、及び前記空気入口と空気出口との間に延在する蒸発空気流路を有するブロアーアセンブリと、
前記基部により取り外し可能に支持され、内部室を画成するタンクであって、第１の側壁、第２の側壁、開口部を有する底壁、及び取り外し可能に支持され前記底壁の前記開口部を密閉するためのキャップを有し、前記底壁内に形成された前記開口部の直径は、少なくとも約３．５インチ（８．８９ｃｍ）であるタンクと、
前記底壁の前記開口部の近傍に支持された複数の係止タブと、
前記キャップにより支持され、前記係止タブと協働して前記キャップを前記底壁に対して密閉状態に固定するための複数の協働傾斜面と、
を有することを特徴とする加湿器。
【請求項１８】  水の供給源を支持するようになっている基部と、
前記基部により支持される加湿ユニットと、
前記基部により取り外し可能に支持され、中心軸及び前記水トレーと流体的に連通する内部室を規定するタンクであって、凹状側壁と凸状側壁、上壁、底壁、及び前記上壁により支持され前記凸状側壁に隣接して配置されたハンドルを有し、前記ハンドルは、前記凹状側壁を上方、且つ、前記凸状側壁に向う方向へと前記ハンドルの周りに揺動させる旋回点を規定するタンクと、
を有することを特徴とする加湿器。
【請求項１９】  前記ハンドルは、前記中心軸と前記凸状側壁との中間に配置された支持部を有することを特徴とする請求項１８の加湿器。
【請求項２０】  更に、前記凸状側壁の近傍で前記タンクの前記上壁内に形成された凹部を有し、前記ハンドルは、実質的に前記タンクの前記上壁と同一平面に支持されることを特徴とする請求項１９の加湿器。
【請求項２１】  前記加湿ユニットは、ハウジング、前記ハウジング内に支持されたモーター、及び前記ハウジング内に支持され前記モーターに作動的に接続されたファンを有するブロアーアセンブリであって、前記ハウジングは、空気入口、空気出口、及び前記空気入口と空気出口との間に延在する蒸発空気流路を有するブロアーアセンブリを有することを特徴とする請求項１９の加湿器。
【請求項２２】  更に、前記ハウジング内の前記空気流路内へと上方に延在するウイックアセンブリを有することを特徴とする請求項２１の加湿器。
【請求項２３】  基部と、
前記基部により支持される加湿ユニットであって、対向する前壁及び後壁を有するハウジングを有する加湿ユニットと、
前記加湿ユニットと電気的に接続された電気コードと、
前記基部により支持され、対向する第１の側壁及び第２の側壁を有するタンクであって、該タンクの前記第１の側壁は、前記加湿ユニットの前記後壁に隣接して配置されるタンクと、
を有し、
前記加湿ユニットの前記ハウジングは、前記電気コードの余剰部分を収容するための、前記後壁内で内方に延在するコード格納区画を有することを特徴とする加湿器。
【請求項２４】  前記タンクの前記第１の側壁は、前記タンクが前記基部上に配置されたとき、前記コード格納区画を覆うことを特徴とする請求項２３の加湿器。
【請求項２５】  更に、前記ハウジングの前記後壁により支持され、前記電気コードを前記コード格納区画内に保持するための少なくとも１つの保持タブを有する請求項２３の加湿器。
【請求項２６】  更に、前記ハウジングの前記後壁内に形成され、前記コード格納区画から前記ハウジングの外側面へと延在するコード通路を有することを特徴とする請求項２３の加湿器。
【請求項２７】  底壁を有する基部と、
底壁及び前記底壁から上方に延在する側壁を有する水トレーであって、前記基部の前記底壁により取り外し可能に支持される水トレーと、
前記基部により支持されるハウジングを有する加湿ユニットと、
前記基部により取り外し可能に支持されるタンクであって、側壁、底壁、及び前記水トレーに流体的に連通する内部室を有するタンクと、
を有し、
前記水トレー及び前記タンクは第１の色であり、前記基部は第２の色であり、該第２の色は前記第１の色と視覚的に識別可能であり、
前記水トレー及び前記タンクは、皿洗い機に対して安全な熱可塑性材料で形成されることを特徴とする加湿器。
【請求項２８】  底壁を有する基部と、
底壁及び前記底壁から上方に延在する側壁を有する水トレーであって、前記基部の前記底壁により取り外し可能に支持される水トレーと、
前記水トレーにより支持されるフロートアセンブリであって、前記水トレーの前記底壁に対して移動可能な浮揚性フロートを有するフロートアセンブリと、
前記基部により支持されるハウジングを有する加湿ユニットと、
前記基部により取り外し可能に支持されるタンクであって、側壁、底壁、及び前記水トレーに流体的に連通する内部室を有するタンクと、
を有し、
前記水トレー及び前記タンクは、皿洗い機に対して安全な熱可塑性材料で形成されることを特徴とする加湿器。
【請求項２９】  前記フロートアセンブリは、皿洗い機に対して安全な熱可塑性材料で形成されることを特徴とする請求項２８の加湿器。
【請求項３０】  前記水トレー、前記フロートアセンブリ及び前記タンクは第１の色であり、
前記基部は第２の色であり、該色は、前記第１の色と視覚的に識別可能であることを特徴とする請求項２９の加湿器。